(57)【特許請求の範囲】
【請求項１】
圧縮符号化された映像信号を復号して信号処理する映像信号処理装置において、
上記復号された映像信号のノイズを低減するノイズ低減手段と、
このノイズ低減された映像信号に対して画質補正を行う画質補正手段と、
上記映像信号の復号時のノイズ量に関連する符号化情報から予測されるノイズ量と、復号画像の符号化ブロック境界の段差と、前記符号化ブロック境界からの距離とに対応して重み付け係数を設定するウェイティング手段とを有し、
このウェイティング手段からの重み付け係数に応じて上記画質補正手段による画質補正量を制御することを特徴とする映像信号処理装置。
【請求項２】
上記ノイズ低減手段は、少なくともブロック符号化におけるブロック歪を低減し、
上記画質補正手段は、入力画像の輪郭強調を行うこと
を特徴とする請求項１記載の映像信号処理装置。
【請求項３】
上記ノイズ低減手段は、映像信号の画面内におけるノイズを低減し、次に画面間で発生するノイズを低減すること
を特徴とする請求項１記載の映像信号処理装置。
【請求項４】
上記映像信号が輝度信号及び色信号からなり、上記輝度信号及び上記色信号の少なくとも一方に対して上記ノイズ低減を施すこと
を特徴とする請求項１記載の映像信号処理装置。
【請求項５】
上記映像信号の水平方向及び垂直方向の少なくとも一方に対して上記ノイズ低減を施すこと
を特徴とする請求項１記載の映像信号処理装置。
【請求項６】
圧縮符号化された映像信号を復号して信号処理する映像信号処理方法において、
上記復号された映像信号のノイズを低減するノイズ低減工程と、
このノイズ低減された映像信号に対して画質補正を行う画質補正工程と、
上記映像信号の復号時のノイズ量に関連する符号化情報から予測されるノイズ量と、復号画像の符号化ブロック境界の段差と、前記符号化ブロック境界からの距離とに対応して重み付け係数を設定するウェイティング工程とを有し、
このウェイティング工程からの重み付け係数に応じて上記画質補正工程における画質補正量を制御することを特徴とする映像信号処理方法。
【請求項７】
上記ノイズ低減工程では、少なくともブロック符号化におけるブロック歪を低減し、
上記画質補正工程では、入力画像の輪郭強調を行うこと
を特徴とする請求項６記載の映像信号処理方法。
【請求項８】
上記ノイズ低減工程は、映像信号の画面内におけるノイズを低減し、次に画面間で発生するノイズを低減すること
を特徴とする請求項６記載の映像信号処理方法。
【請求項９】
上記映像信号が輝度信号及び色信号からなり、上記輝度信号及び上記色信号の少なくとも一方に対して上記ノイズ低減を施すこと
を特徴とする請求項６記載の映像信号処理方法。
【請求項１０】
上記映像信号の水平方向及び垂直方向の少なくとも一方に対して上記ノイズ低減を施すこと
を特徴とする請求項６記載の映像信号処理方法。
【請求項１１】
上記映像信号の復号画像の符号化ブロック境界からの距離に対応してノイズ補正量を設定するノイズ補正量設定手段をさらに有し、
このノイズ補正量設定手段からのノイズ補正量に応じて上記ノイズ低減手段によるノイズ低減量を制御することを特徴とする請求項１記載の映像信号処理装置。
【請求項１２】
上記ノイズ補正量設定手段は、上記映像信号の復号時のノイズ量に関連する符号化情報と復号画像の符号化ブロック境界の段差とから上記ノイズ補正量を設定し、上記符号化ブロック境界からの距離に対応して前記ノイズ補正量を重み付けすることを特徴とする請求項１１記載の映像信号処理装置。
【請求項１３】
上記映像信号の復号画像の符号化ブロック境界からの距離に対応してノイズ補正量を設定するノイズ補正量設定工程をさらに有し、
このノイズ補正量設定工程からのノイズ補正量に応じて上記ノイズ低減工程におけるノイズ低減量を制御することを特徴とする請求項６記載の映像信号処理方法。
【請求項１４】
上記ノイズ補正量設定工程では、上記映像信号の復号時のノイズ量に関連する符号化情報と復号画像の符号化ブロック境界の段差とから上記ノイズ補正量を設定し、上記符号化ブロック境界からの距離に対応して前記ノイズ補正量を重み付けすることを特徴とする請求項１３記載の映像信号処理方法。
【発明の詳細な説明】
【０００１】
【発明の属する技術分野】
本発明は、映像信号処理装置及び方法に関し、特に、静止画データや動画データ等の入力データをブロック化してＤＣＴ符号化等を施すようなブロック符号化を用いて画像圧縮符号化し、復号する場合に、歪やノイズを効果的に除去することができるような映像信号処理装置及び方法に関するものである。
【０００２】
【従来の技術】
従来、静止画データや動画データ等を効率よく圧縮符号化するための符号化方式として、ブロックＤＣＴ（離散コサイン変換）符号化等のブロック符号化が知られている。
【０００３】
このようなブロック符号化による画像データ等の圧縮／伸張の際には、ブロック歪（ブロック雑音）が発生することがあり、圧縮率が高くなるほど歪を発生させ易い。このブロック歪は、ＤＣＴ符号化等がブロック内の閉じた空間で変換を行っており、ブロック境界を越えた相関を考慮していないため、ブロック境界での連続性が保存できず、隣接ブロックとの境界部での再生データ値のずれが雑音として知覚されるものである。画像データをブロック符号化した場合に発生するブロック歪は、一種の規則性を有するため一般のランダム雑音に比べて知覚され易く、画質劣化の大きな要因となっている。
【０００４】
このブロック歪を低減するために、例えば、「井田、駄竹，“ＭＣ−ＤＣＴ符号化方式におけるノイズ除去フィルタ”，1990年電子情報学会春季全国大会講演論文集，7-35」の文献においては、画像本来の情報であるエッジを保存し、それらのノイズを除去するため、フィルタのon,offの決定に量子化ステップサイズを用いたり、処理していく方向を変えて複数回処理を行う技術が開示されている。また、「井澤，“画像のブロック符号化における適応形雑音除去フィルタの特性”，信州大学工学部紀要  第７４号、pp.89-100 」の文献においては、周辺ブロックまで抜き出してＤＣＴ変換を行いノイズ周波数成分を除去する技術が開示されている。
【０００５】
前者の方法では、処理が簡単な反面、画像の高周波成分が欠落してしまうため、後者の方法のような高周波成分の欠落のない補正が望まれている。
【０００６】
この他、画像圧縮／伸張の際に発生するブロック歪やモスキートノイズを除去する方法としては、画像の平坦度など局所的な統計量と符号化情報からのブロック単位の雑音量の予測と、これに基づいた画素単位での雑音予測と最小二乗法による適応フィルタリングにより、該ノイズを除去するアルゴリズムも提案されている。
【０００７】
ここで、上記モスキートノイズとは、量子化誤差の内の高域成分により生じるリンギング状の出力画像歪のことである。
【０００８】
【発明が解決しようとする課題】
ところで、入力画像に対して輪郭強調などの画質補正処理を施して画像の精細度を上げることが知られている。ブロック符号化を伴う画像圧縮／伸張の際に、このような輪郭強調などの画質補正を施すと、上記ブロック歪やモスキートノイズも強調されてしまい、十分な画質の改善が図れない。
【０００９】
例えば、いわゆるビデオＣＤプレーヤにおいては、フィールド巡回型ノイズリデューサによりノイズを除去した後、ＮＴＳＣエンコーダで同期信号を付加し、Ｄ／Ａ変換器でアナログ信号に変換し、輪郭強調回路で画像の精細度を上げるような構成が提案されている。
【００１０】
しかしながら、フィールド巡回型ノイズリデューサで除去されないブロック歪やモスキートノイズも輪郭強調回路で増幅されてしまい、十分な画質の改善が行えない、という欠点がある。
【００１１】
本発明は、このような実情に鑑みてなされたものであり、ＤＣＴ符号化のようなブロック符号化におけるブロック歪やモスキート歪の低減と、輪郭強調等の画質補正とが効果的に行えるような映像信号処理装置及び方法を提供することを目的とする。
【００１２】
【課題を解決するための手段】
本発明は、圧縮符号化された映像信号を復号して信号処理する際に、復号された映像信号のノイズを低減し、このノイズ低減された映像信号に対して画質補正を行うと共に、映像信号の復号時のノイズ量に関連する符号化情報から予測されるノイズ量と、復号画像の符号化ブロック境界の段差と、前記符号化ブロック境界からの距離とに対応して重み付け係数を設定し、この重み付け係数に応じて上記画質補正量を制御することにより、上述の課題を解決する。
【００１３】
具体的には、ブロックＤＣＴ符号化等の画像圧縮／伸張に伴って発生するブロック歪やモスキートノイズ等のノイズを低減した後、輪郭強調等の画質補正を行っている。
【００１４】
上記画像圧縮／伸張の際に発生するブロック歪等のノイズが低減、除去され、この後に輪郭強調等の画質補正を効果的に行うことができる。
【００１５】
【発明の実施の形態】
以下、本発明に係る実施の形態について図面を参照しながら説明する。
図１は、本発明の実施の形態となる映像信号処理装置を、ビデオＣＤプレーヤに適用した場合のシステム全体の概略構成を示すブロック図である。
【００１６】
この図１において、ビデオＣＤやＣＤ−ＲＯＭ等のディスク１０１から、光ピックアップ１０２により読み出されたＲＦ信号は、ＲＦアンプ１０３に入力される。ここで増幅されたＲＦ信号は、ＥＦＭ（８−１４変調）復調回路１０４で復調され、シリアルデータとして、ディスク記録フォーマットのデコーダである例えばＣＤ−ＲＯＭデコーダ１０５に入る。ＣＤ−ＲＯＭデコーダ１０５では、シリアルデータから例えばＭＰＥＧビットストリーム信号に変換し、ＭＰＥＧデコーダ１０６に送る。
【００１７】
ここで、ＭＰＥＧとは、ＩＳＯ／ＩＥＣ  ＪＴＣ１／ＳＣ29（International Organization for Standardization / International Electrotechnical Commission, Joint Technical Committee 1 / Sub Committee 29：国際標準化機構／国際電気標準会議  合同技術委員会１／専門部会２９）の動画像圧縮符号化の検討組織（Moving Picture Experts Group）の略称であり、ＭＰＥＧ１標準としてISO11172が、ＭＰＥＧ２標準としてISO13818がある。これらの国際標準において、マルチメディア多重化の項目でISO11172-1及びISO13818-1が、映像の項目でISO11172-2及びISO13818-2が、また音声の項目でISO11172-3及びISO13818-3がそれぞれ標準化されている。
【００１８】
画像圧縮符号化規格としてのISO11172-2又はISO13818-2においては、画像信号を、ピクチャ（フレーム又はフィールド）単位で、画像の時間及び空間方向の相関を利用して、圧縮符号化を行っており、空間方向の相関の利用は、ブロックＤＣＴ符号化を用いることで実現している。
【００１９】
ＭＰＥＧデコーダ１０６では、例えばＭＰＥＧ１フォーマットに従い復号を行っており、この復号の際に、逆量子化器１６１による逆量子化処理後に逆ＤＣＴ回路１６２による逆ＤＣＴ処理を施す。さらに、必要に応じて補間などの処理を行なった後出力する。
【００２０】
ＭＰＥＧデコーダ１０６から出力された映像信号は、ノイズリデューサとしてのブロック歪低減回路１０７に入力されるが、ここでの信号はＭＰＥＧ１での圧縮／伸張によるブロック歪やモスキートノイズなどが含まれているので、ノイズ低減回路１０７でこれらのノイズ除去を行なう。このノイズ低減回路１０７については後で詳細に説明する。ノイズ低減回路１０７での処理後、画質補正回路１０８で輪郭強調などの画質補正を行い、ＮＴＳＣエンコーダ１０９に送る。
【００２１】
ＮＴＳＣエンコーダ１０９では、同期信号の付加、色信号の変調などを行ないＮＴＳＣ映像信号を生成する。このＮＴＳＣ映像信号がＤ／Ａ変換器１１０を介して出力端子１１１に出力される。
【００２２】
ノイズ低減回路１０７と関連して、マイクロコンピュータ等を用いた制御回路１１２が設けられ、制御回路１１２に対しては操作部１１３からの制御信号が供給される。操作部１１３には、ノイズリダクション、例えばブロック歪低減の制御スイッチが設けられており、ブロック歪低減などのノイズリダクションのオン／オフの切り替えがなされる。また、操作部１１３には、上記輪郭強調などの画質補正の制御スイッチも設けられており、輪郭強調などの画質補正の効果の程度を制御できるようになっている。
【００２３】
次に、図２は、上記図１の全体構成の内のノイズ低減回路１０７の一例を示すブロック図である。
【００２４】
この図２において、入力端子１０には、上記図１のＭＰＥＧデコーダ１０６からの映像信号が入力される。デシメーション回路１３は、この入力端子１０からの映像信号と共に、上記図１のマイクロコンピュータ等を用いて成る制御回路１１２からの制御信号として、例えば画面サイズ（解像度）の情報が供給される。この画面サイズが標準、例えば３５２画素×２４０ラインのＮＴＳＣ方式の場合には、図１のＭＰＥＧデコーダ１０６からの映像信号出力は、図３の（Ａ）に示すように、奇数画素 P1,P3,P5,... は偶数画素 P0,P2,P4,... で補間されたデータ、例えば前後の画素の平均値（P1=(P0+P2)/2等）となっている。ここで、後段のブロック歪低減回路１４に入力される画像データとしては、ブロック歪の判定において、後処理されていないオリジナルの復号データであることが望ましいので、デシメーション回路１３にて図３の（Ａ）の映像信号を間引き処理して、図３の（Ｂ）に示すようなオリジナルの復号データを得ている。なお、画面サイズが高精細、例えば７０４画素×４８０ラインのＮＴＳＣ方式の場合には、デシメーション回路１３での間引き処理は行われない。
【００２５】
デシメーション回路１３からの出力信号は、ブロック歪低減回路１４に供給されて、上記ブロックＤＣＴ符号化に対する復号処理を行うことで生じるブロック歪を低減する。ブロック歪低減回路１４からの映像信号は、フィールド巡回型ノイズ低減回路１５に送られて、フィールド間で発生するブロック歪等のノイズが除去される。フィールド巡回型ノイズ低減回路１５からの出力信号は、補間（インターポレーション）回路１６に送られて、画面サイズが上記標準の場合に、図３の（Ｂ）から（Ｃ）に示すような補間処理が施されて、出力端子１７から取り出される。
【００２６】
以下、上記ブロック歪低減回路１４及びフィールド巡回型ノイズ低減回路１５の構成例について、図面を参照しながら詳細に説明する。
【００２７】
先ずブロック歪低減回路１４は、例えば図４のような構成を有している。この図４において、入力端子２０には、ブロック符号化を含む圧縮符号化が施された後に復号された画像データ、例えば上記図１のＭＰＥＧデコーダ１０６から出力され、図２のデシメーション回路１３を介して得られた映像信号が供給される。この入力信号は、アクティビティ及びブロック段差計算回路２１と、ブロック歪補正回路２４とに送られる。
【００２８】
図４のアクティビティ及びブロック段差計算回路２１では、ブロック境界近傍での隣接画素間の差分の平均値であるアクティビティact と、ブロック境界部での隣接画素間の差分であるブロック段差δb とが計算され、これらがブロック歪判定回路２２に送られる。ブロック歪判定回路２２では、上記アクティビティact とブロック段差δb とを用いて、後述する条件判別を行って、ブロック歪であるか否かの判定を行なう。ブロック歪でないと判定された場合、このブロック歪判定回路２２からの制御信号により、ブロック歪補正回路２４は端子２０から入力されたデータを処理せずに、そのまま端子２５を介して出力する。ブロック歪であると判定された場合には、ブロック歪補正回路２４で補正処理を行って端子２５を介して出力する。また、端子２６には、例えば図１のＭＰＥＧデコーダ１０６からの符号化情報が入力されており、この符号化情報はノイズ量予測テーブル２７を介してブロック歪判定回路２２に送られる。
【００２９】
ここで、図４のアクティビティ及びブロック段差計算回路２１においては、端子２０に供給された映像信号の画素データｐより、ブロック境界近傍での隣接画素間の差分の平均値であるアクティビティact と、ブロック境界部での隣接画素間の差分であるブロック段差δb とを求める。いま、図５に示すように、ＤＣＴブロック境界の近傍の画素、すなわちブロック境界に隣接する画素及びその近隣の画素を、
p[i+4]  p[i+5]  p[i+6]  p[i+7]｜p[i+8]  p[i+9]  p[i+10]  p[i+11]
ただし、｜はブロック境界を表す。
とするとき、アクティビティact は、
0003800704.tif 000002
により計算され、ブロック段差δb は、
δb ＝  p[i+8] - p[i+7]     … (2)
により計算される。
【００３０】
次に、ブロック歪判定回路２２は、これらのアクティビティact とブロック段差δb とを用いて、
act ＜ |δb| ＜ Ｔh           … (3)
の条件を満足するとき、ブロック歪であると判定する。この条件式(3) 中のＴh は、閾値（スレッショルド値）である。
【００３１】
この閾値Ｔh については、端子２６からの符号化情報、例えば量子化ステップの値に応じて、ノイズ量予測テーブル２７によりブロック歪（ノイズ量）の大きさを予測し、変化させるようにしている。図６は、ノイズ量予測テーブル２７における符号化情報としての量子化ステップに対する閾値Ｔh の一例を示すグラフである。この図６の例では、量子化ステップが粗いほど発生するノイズも大きくなる性質を利用している。
【００３２】
ブロック歪でないと判定されたときには、ブロック歪判定回路２２からの制御信号により、ブロック歪補正回路２４は端子２０から入力されたデータを処理せずにそのまま出力する。
【００３３】
これに対して、ブロック歪であると判定されたときは、各画素の補正値計算回路２３において、先ず補正値αを次の式(4) あるいは(5) により求める。
【００３４】
α ＝ δb − act ： δb ＞ ０       …  (4)
α ＝ δb ＋ act ： δb ≦ ０       …  (5)
次に、上記ブロック境界近傍の各画素について、
p'[i+4] ＝ p[i+4] ＋ α/16          …  (6)
p'[i+5] ＝ p[i+5] ＋ α/8           …  (7)
p'[i+6] ＝ p[i+6] ＋ α/4           …  (8)
p'[i+7] ＝ p[i+7] ＋ α/2           …  (9)
p'[i+8] ＝ p[i+8] − α/2           … (10)
p'[i+9] ＝ p[i+9] − α/4           … (11)
p'[i+10]＝ p[i+10]− α/8           … (12)
p'[i+11]＝ p[i+11]− α/16          … (13)
の式(6)〜(13) により求める。
【００３５】
ブロック歪補正回路２４では、ブロック境界に隣接する画素及びその近隣の画素に対して式(6)〜(13) に従って補正を行ない、ブロック歪を除去する。その結果、補正後のブロック境界の段差 p'[i+8]−p'[i+7] は下式(14)に示すように、上記アクティビティact の値と等しくなる。
【００３６】
0003800704.tif 000003
このときのブロック境界の段差の一例を、図７に示す。この図７の（Ａ）が、上記補正前の状態を、また（Ｂ）が上記補正後の状態をそれぞれ示している。図７の縦軸は振幅すなわち画素データ値を、また横軸はＨ（水平）方向あるいはＶ（垂直）方向の画素位置を示し、図７の（Ａ）のブロック境界の段差δb が、図７の（Ｂ）のブロック境界の段差act に補正されている。
【００３７】
次に、フィールド巡回型ノイズ低減回路１５の具体例について、図８を参照しながら説明する。
【００３８】
図８の入力端子６０には、上記図２のブロック歪低減回路１４からの映像信号が入力されている。この入力映像信号Ｖinが減算器６１、６４にそれぞれ供給される。減算器６１からの出力信号は、出力端子６７を介して取り出されると共に、フィールドメモリ６５に書き込まれる。フィールドメモリ６５と関連して、メモリコントローラ６６が設けられている。メモリコントローラ６６は、フィールドメモリ６５の書き込み動作及び読み出し動作を制御するためのもので、フィールドメモリ６５の読出データは、書き込みデータに対して１フィールド遅延されたものである。すなわち、出力信号をＶout とし、フィールド遅延をＦ-1と表すとき、フィールドメモリ６５からの出力信号は、Ｖout・Ｆ-1 となり、このフィールド遅延出力信号が減算器６４に供給される。減算器６４では、入力信号Ｖinから上記フィールド遅延出力信号Ｖout・Ｆ-1 を減算して出力する。
【００３９】
減算器６４からの出力信号は、帯域制限用のＬＰＦ（ローパスフィルタ）６３を介し、非線形回路６２に送られる。非線形回路６２は、入力信号であるＬＰＦ６３からの出力のレベルに応じて帰還係数Ｋを乗じるもので、例えばＲＯＭにより構成される。この非線形回路６２は、小さい範囲のフィールド差分をノイズ成分として出力し、大きいフィールド差分は、動きにより発生したものとして、出力を０とするような入出力特性を有している。すなわち、ノイズ成分はフィールド間の相関が小さくかつ小振幅である、という特性を利用して、非線形回路６２がノイズ成分を抽出する。
【００４０】
この非線形回路６２からの出力信号Ｋ・（Ｖin−Ｖout・Ｆ-1） が減算器６１に供給され、入力映像信号Ｖinから減算される。これは、減算器６１において抽出されたノイズ成分を入力映像信号Ｖinから減算することによって、ノイズの低減された出力映像信号Ｖout を得ることに相当する。
【００４１】
ここで、
Ｖout ＝ Ｖin−Ｋ・（Ｖin−Ｖout・Ｆ-1）
Ｖout・（１−Ｋ・Ｆ-1） ＝ Ｖin・（１−Ｋ）
より、出力映像信号Ｖout は、
Ｖout ＝ Ｖin・（１−Ｋ）／（１−Ｋ・Ｆ-1）
となる。
【００４２】
次に、図１の画質補正回路１０８の具体例としての輪郭強調回路について、図９を参照しながら説明する。
【００４３】
図９は、画質補正回路１０８となる輪郭強調回路の構成例を示している。この図９において、入力端子８０には、図１のノイズ低減回路１０７からの出力映像信号、より具体的には図２のフィールド巡回型ノイズ低減回路１５から補間回路１６、出力端子１７を介して得られた映像信号が供給される。端子８０からの入力信号は、ＢＰＦ（バンドパスフィルタ）８２及び加算器８５に供給される。ＢＰＦ８２では、画像の輪郭成分などの中高周波数成分が抽出される。この抽出された輪郭成分などは、コアリング回路８３に送られて、小振幅信号であるノイズ成分などを除去するような非線形処理（コアリング処理）が施された後、利得制御（ゲインコントロール）回路８４に送られて、補正量の制御がなされ、補正信号として加算器８５に送られる。
【００４４】
また、制御端子８１には、上記図１のマイクロコンピュータなどの制御回路１１２からの制御信号が供給されており、この制御信号はコアリング回路８３及び利得制御回路８４に送られている。すなわち、図１の操作部１１３には、輪郭強調の制御スイッチなども設けられており、このスイッチなどを操作することにより輪郭強調の効果の程度を制御できるようになっている。
【００４５】
このようにして、輪郭強調回路１０８において映像信号の中高周波数成分が強調され、画像の精細度を上げている。
【００４６】
以上説明した本発明の実施の形態によれば、ブロックＤＣＴ符号化等を用いて画像圧縮／伸張した際に発生するブロック歪などのノイズを先に除去しているため、この後に輪郭強調等の画質補正を効果的に行うことができる。
【００４７】
次に、本発明の実施の形態の変形例について説明する。
この実施の形態の変形例では、輪郭強調回路などの後処理において、重み付けした符号化情報を用いて適応的処理を施している。
【００４８】
すなわち、ブロック歪判定の誤判定による破綻を軽減するために、ブロック歪の補正量を例えばブロック境界の段差の大きさに応じて制御することが考えられる。この場合、ブロック境界の段差が大きいとき、補正量は小さくなり、ブロック境界の段差は若干残ることになる。そこで、このような残留ブロック歪を強調しないように、重み付けした符号化情報を用いて輪郭強調の適応的処理を行う。
【００４９】
図１０は、このような変形例における輪郭強調回路の構成を示すブロック図である。この図１０の利得制御回路８４において、上記図１の制御回路１１２から端子８１を介して供給される制御信号に対して、例えば端子８８からの符号化情報として量子化ステップの値、端子８９からの復号画像情報としてブロック境界の段差の値及びブロック境界からの距離により、ウェイティング（重み付け）回路８７ｂで重み付けを行う。利得制御回路８４に供給するパラメータとしてのゲイン（利得）値Ｇは、上記図１の制御回路１１２におけるゲイン（利得）設定値をＧst、量子化ステップ重み付け係数をＫQ 、境界距離の重み付け係数をＬW とするとき、例えば次の式により求める。
Ｇ ＝ Ｇst×（ＫQ／８）×（ＬW／４）
この式中の１／８，１／４は、正規化のための除数である。
【００５０】
ここで、図１１は量子化ステップコード及びブロック境界段差に対する量子化ステップ重み付け係数を示し、図１２はブロック境界距離に対する境界距離重み付け係数を示している。
具体例を挙げて説明する。端子８１からの制御信号としてのゲイン設定値が２のとき、量子化ステップコード及びブロック境界段差が与えられて図１１のテーブルより量子化ステップ重み付け係数が例えば４となり、ブロック境界からの距離１が図１２のテーブルに与えられて境界距離重み付け係数値２を得たとする。このときの利得制御回路８４に供給されるパラメータ、すなわちゲインＧは、
Ｇ ＝ ２ ×（４／８）×（２／４） ＝ ０．５
となり、輪郭強調効果は弱まる。
【００５１】
これは、コアリング回路８３に関しても同様である。
すなわち、図１０のコアリング回路８３において、端子８１から供給される制御信号としてのパラメータに対して、例えば端子８８からの符号化情報としての量子化ステップの値、端子８９からの復号画像情報としてのブロック境界の段差の値及びブロック境界からの距離により、ウェイティング（重み付け）回路８７ａで重み付けを行う。
【００５２】
図１３は量子化ステップコード及びブロック境界段差に対するコアリング重み付け係数を示している。コアリング回路８３に供給するパラメータの値Ｃは、上記図１の制御回路１１２におけるコアリング設定値をＣst、重み付け係数をＫC 、境界距離の重み付け係数をＬW とするとき、例えば次の式により求める。
Ｃ ＝ Ｃst×ＫC×（ＬW／４）
この式中の１／４は、正規化のための除数である。
【００５３】
ところで、上述した図１０〜図１３の特性は一例であって、これらに限定されるものではない。また、上述したＭＰＥＧ規格で圧縮／伸張される場合、量子化ステップはマクロブロック単位で変化する。このため、注目するブロック境界において、隣接するマクロブロックの量子化ステップの差分を加味してもよい。
【００５４】
なお、本発明は上述した実施の形態に限定されるものではなく、例えば、上記実施の形態においては、水平（Ｈ）方向の処理について述べたが、垂直（Ｖ）方向についても同様に適用可能である。また、輝度信号の処理のみならず、色信号についても同様に本発明を適用可能であることは勿論である。
【００５５】
【発明の効果】
本発明によれば、圧縮符号化された映像信号を復号して信号処理する際に、復号された映像信号のノイズを低減した後、ノイズ低減された映像信号に対して画質補正を行っているため、輪郭強調等の画質補正を効果的に行うことができる。
【００５６】
具体的には、ブロックＤＣＴ符号化等の画像圧縮／伸張に伴って発生するブロック歪やモスキートノイズ等の量子化歪やノイズを低減、除去した後に、輪郭強調等の画質補正を行うことにより、効果的なブロック歪やモスキートノイズの除去と輪郭強調等の画質補正を行うことができる。
【００５７】
また、上記ノイズ低減の際に、映像信号の画面内におけるノイズを低減し、次に画面間で発生するノイズを低減することにより、画面内で発生する歪やノイズと、画面間で発生する歪やノイズとを効果的に除去することができる。
【図面の簡単な説明】
【図１】本発明に係る実施の形態となる映像信号処理装置の概略構成を示すブロック図である。
【図２】実施の形態に用いられるノイズ低減回路の構成例を示すブロック図である。
【図３】図２の構成におけるデシメーションと補間（インターポレーション）を説明するための図である。
【図４】本発明に係る実施の形態に用いられる画像データのブロック歪低減回路の概略構成を示すブロック図である。
【図５】ブロック歪補正のためのブロック境界近傍の画素を示す図である。
【図６】符号化情報としての量子化ステップに対するブロック歪判定の閾値の関係の一例を示す図である。
【図７】ブロック境界の段差の補正動作を説明するための図である。
【図８】フィールド巡回型ノイズ低減回路の一例を示すブロック図である。
【図９】画質補正手段としての輪郭強調回路の一例の概略構成を示すブロック図である。
【図１０】輪郭強調回路の他の具体例を示すブロック図である。
【図１１】量子化ステップコード及びブロック境界段差に対する量子化ステップ重み付け係数の具体例を示す図である。
【図１２】ブロック境界距離に対する境界距離重み付け係数の具体例を示す図である。
【図１３】量子化ステップコード及びブロック境界段差に対するコアリング重み付け係数の具体例を示す図である。
【符号の説明】
１３  デシメーション回路、  １４  ブロック歪低減回路、  １５  フィールド巡回型ノイズ低減回路、  １６  補間（インターポレーション）回路、  ２１アクティビティ・ブロック段差計算回路、  ２２  ブロック歪判定回路、  ２３  各画素の補正値計算回路、  ２４  ブロック歪補正回路、  ２７  ノイズ量予測テーブル、  １０６  ＭＰＥＧデコーダ、  １０７  ノイズ低減回路、  １０８  画質補正回路
【図１】
0003800704.tif 000004
【図２】
0003800704.tif 000005
【図３】
0003800704.tif 000006
【図４】
0003800704.tif 000007
【図５】
0003800704.tif 000008
【図６】
0003800704.tif 000009
【図７】
0003800704.tif 000010
【図８】
0003800704.tif 000011
【図９】
0003800704.tif 000012
【図１０】
0003800704.tif 000013
【図１１】
0003800704.tif 000014
【図１２】
0003800704.tif 000015
【図１３】
0003800704.tif 000016